(57)【要約】【課題】内開き窓の障子と窓枠を室内側部で気密し、窓枠、障子、嵌め殺し窓の押縁の室内側面を面一にできる内開き窓と嵌め殺し窓を備えた連窓とする。【解決手段】上枠２と下枠３に亘って縦中骨６を連結して第１枠部１ａと第２枠部１ｂを有する窓枠１とし、この第１枠部１ａに障子７を取付けて内開き窓とし、第２枠部１ｂにガラス８を嵌め殺し用押縁９で取付けて嵌め殺し窓とする。前記上枠２，下枠３の室内側寄りに形成した室内側に向かう気密材当接面２ｅ，３ｅに障子７の室内側部を気密材３５を介して圧接して気密し、前記上枠２、下枠３の第２枠部１ｂを形成する部分の内面における室内側寄りにアタッチメント４０を取付け、このアタッチメント４０に嵌め殺し用押縁９を取付けて窓枠室内側面と嵌め殺し用押縁、障子、室内側面を面一とした窓。【選択図】図３
2006063524.tif 000002
【特許請求の範囲】
【請求項１】
相対向した枠材間に中間枠材を連結して第１枠部と第２枠部を有する窓枠とし、
この第１枠部に障子を取付けて内開き窓とし、前記第２枠部にガラスを取付けて嵌め殺し窓とした内開き窓と嵌め殺し窓を備えた窓において、
前記第１枠部の内面は、室外側部が室内側部よりも面内方向内側に突出し、その室内側面よりも室外側寄りに気密材当接面を有する形状で、
前記障子の室内側部を気密材を介して前記気密材当接面に圧接して第１枠部の室内側部と障子の室内側部を気密すると共に、第１枠部の室内側面と障子の室内側面を面一とし、
前記相対向した枠材の第２枠部を形成する部分における室内側寄りにアタッチメントを、その室内側面と第２枠部の室内側面が面一としてそれぞれ取付け、
この各アタッチメントと、前記中間枠材を連結した枠材以外の相対向した他の枠材の内面における室内側寄りに、嵌め殺し用押縁を、その各押縁の室内側面と第２枠部の室内側面が面一として取付けたことを特徴とする内開き窓と嵌め殺し窓を備えた窓。
【請求項２】
第２枠部の内面における気密材当接面よりも室外側寄りにアタッチメント取付部を有し、
アタッチメントは、その室外側寄りに取付部、室内側寄りに押縁取付部を有する形状で、この取付部をアタッチメント取付部に係合して取付け、
窓枠の相対向した他の枠材は、その内面における室内側寄りに押縁取付部を有し、この押縁取付部と前記アタッチメントの押縁取付部は、同一形状で、かつ室内外側方向に同一位置である請求項１記載の内開き窓と嵌め殺し窓を備えた窓。
【請求項３】
障子を構成する各框は、その内面における室内側寄りに押縁取付部を有し、この押縁取付部は、窓枠の相対向した他の枠材の内面に有する押縁取付部と同一形状で、かつ室内外側方向に同一位置である請求項２記載の内開き窓と嵌め殺し窓を備えた窓。
【発明の詳細な説明】
【技術分野】
【０００１】
本発明は、内開き窓と嵌め殺し窓が左右に連続した連窓や、内開き窓と嵌め殺し窓が上下に連続した段窓などの内開き窓と嵌め殺し窓を備えた窓に関する。
【背景技術】
【０００２】
特許文献１に開示された内開き窓は、窓枠に障子を室内側に移動可能に取付けた窓で、その窓枠の内面は、室外側部が室内側部よりも面内方向内側に突出した形状である。
特許文献２には、枠体の内面を室内外側方向一側部が他側部よりも面内方向内側に突出した形状とし、この枠体内にガラスを挿入すると共に、押縁を取付けて嵌め殺し窓とすることが開示されている。
特許文献３には内開き窓と嵌め殺し窓を左右に連続した連窓が開示されている。
具体的には、窓枠の上枠と下枠に亘って竪中骨を取付けて第１の枠部と第２の枠部を有する窓枠とする。その第１の枠部に障子を室内側に移動自在に取付けて内開き窓とし、第２の枠部にガラスを押縁を用いて取付けて嵌め殺し窓としている。
【０００３】
【特許文献１】実開昭６２−１１３２７７号公報
【特許文献２】特開２００３−３７５９号公報
【特許文献３】実開昭５９−１０４９７５号公報
【発明の開示】
【発明が解決しようとする課題】
【０００４】
特許文献３に開示されたように、内開き窓と嵌め殺し窓が左右に連続した連窓は、上枠と下枠が内開き窓と嵌め殺し窓に亘って連続し、その上枠、下枠の左右の一側寄りの室内側部に押縁を取付けて嵌め殺し窓としている。
つまり、特許文献１、特許文献２に開示されたように内開き窓の上枠、下枠と嵌め殺し窓の上枠、下枠は、その内面が室外側部が室内側部よりも面内方向内側に突出した形状であるから、その室内側部と押縁を取付けて嵌め殺し窓とすることができる。
【０００５】
前述した特許文献３に開示した連窓における内開き窓は、その障子の上框、下框の室外側部を上枠、下枠の室外側部に気密材を介して接することで気密し、その上框、下框の室内側面を上枠、下枠の室内側面よりも室外寄りとして閉じ状態で障子が窓枠内部に納まるようにしている。
また、嵌め殺し窓の押縁も窓枠内部に位置し、その押縁の室内側面が窓枠の室内側面よりも室外寄りとしている。
このように、特許文献３に開示した連窓は、その障子室内側面、押縁室内側面が窓枠の室内側面よりも室外寄りで、連窓の室内側面は段差を有する形状である。
【０００６】
前述の内開き窓において気密部を越えて雨水等が室内側に浸入することがあり、その浸入した雨水等は窓枠から室内に流れ込むことがある。
このことを防止するには、窓枠の室内側部と障子の室内側部を気密材を介して接し、窓枠と障子を室内側部において気密することが考えられる。
しかし、この場合には、窓枠の室内側部と障子の室内側部が室内外側方向に位置がずれ、内開き窓における窓枠の室内側面と障子の室内側面が面一にならない。なお、この場合に、押縁の室内側面と窓枠の室内側面を面一とすることができる。
【０００７】
前述の場合に内開き窓における窓枠の室内側面と障子の室内側面を面一とするには、窓枠の室内側寄りを階段形状として障子対向面を室内側面よりも室外寄りとすることが考えられる。
しかし、このようにすると押縁の室内側面が窓枠の障子対向面と面一となって、窓枠の室内側面よりも室外寄りであるから、嵌め殺し窓における窓枠の室内側面と障子の室内側面が面一にならない。
【０００８】
本発明の目的は、窓枠と障子を室内側部において気密すること、窓枠の室内側面と障子の室内側面、嵌め殺し窓の嵌め殺し用押縁の室内側面を面一にできること、を満足した内開き窓と嵌め殺し窓を備えた窓を提供することである。
【課題を解決するための手段】
【０００９】
本発明は、相対向した枠材間に中間枠材を連結して第１枠部と第２枠部を有する窓枠とし、
この第１枠部に障子を取付けて内開き窓とし、前記第２枠部にガラスを取付けて嵌め殺し窓とした内開き窓と嵌め殺し窓を備えた窓において、
前記第１枠部の内面は、室外側部が室内側部よりも面内方向内側に突出し、その室内側面よりも室外側寄りに気密材当接面を有する形状で、
前記障子の室内側部を気密材を介して前記気密材当接面に圧接して第１枠部の室内側部と障子の室内側部を気密すると共に、第１枠部の室内側面と障子の室内側面を面一とし、
前記相対向した枠材の第２枠部を形成する部分における室内側寄りにアタッチメントを、その室内側面と第２枠部の室内側面が面一としてそれぞれ取付け、
この各アタッチメントと、前記中間枠材を連結した枠材以外の相対向した他の枠材の内面における室内側寄りに、嵌め殺し用押縁を、その各押縁の室内側面と第２枠部の室内側面が面一として取付けたことを特徴とする内開き窓と嵌め殺し窓を備えた窓である。
【００１０】
本発明においては、第２枠部の内面における気密材当接面よりも室外側寄りにアタッチメント取付部を有し、
アタッチメントは、その室外側寄りに取付部、室内側寄りに押縁取付部を有する形状で、この取付部をアタッチメント取付部に係合して取付け、
窓枠の相対向した他の枠材は、その内面における室内側寄りに押縁取付部を有し、この押縁取付部と前記アタッチメントの押縁取付部は、同一形状で、かつ室内外側方向に同一位置であることが好ましい。
このようにすれば、アタッチメントを取付け、このアタッチメントの押縁取付部に嵌め殺し用押縁に取付ければ良いから、アタッチメント、嵌め殺し用押縁を簡単に取付けできる。
【００１１】
本発明においては障子を構成する各框は、その内面における室内側寄りに押縁取付部を有し、この押縁取付部は、窓枠の相対向した他の枠材の内面に有する押縁取付部と同一形状で、かつ室内外側方向に同一位置であることが好ましい。
このようにすれば、障子の押縁と嵌め殺し用押縁を同一としてそれらの室内側面を窓枠の室内側面と面一とすることができる。
【発明の効果】
【００１２】
請求項１に係る発明によれば、第１枠部の室内側部と障子の室内側部を気密材で気密できるから窓枠と障子を室内側部において気密できる。
アタッチメントを用いたことで各嵌め殺し用押縁の室内側面と第２枠部の室内側面を面一にできるから、窓枠の室内側面と障子の室内側面、嵌め殺し用押縁の室内側面を面一にできる。
【発明を実施するための最良の形態】
【００１３】
図１に示すように、窓枠１は、上枠２と下枠３と一方の縦枠４と他方の縦枠５と、その上枠２と下枠３に亘って連結した縦中骨６で第１枠部１ａと第２枠部１ｂを有する。
前記第１枠部１ａに障子７が室内側に移動自在に取付けて内開き窓Ａとしてある。
前記第２枠部１ｂにガラス８を取付けて嵌め殺し窓Ｂとしてある。
これによって、内開き窓Ａと嵌め殺し窓Ｂが左右に連続した連窓としてある。
この実施の形態では障子は内方に回動して開放及び内方に傾倒して開放可能な窓、いわゆるドレーキャップと呼ばれる窓であるが、これに限ることはなく、障子が内方に回動してのみ開放する窓、障子が内方に傾倒してのみ開放する窓（内倒し窓）、障子が内方に傾倒して突出しながら開放する窓（内すべり出し窓）などでも良い。つまり、内開き窓Ａは障子が室内側に移動して開放するものであれば良い。
【００１４】
前記上枠２と下枠３は図２、図３に示すように、その内面２ａ，３ａが室外側部２ｂ，３ｂが室内側部２ｃ，３ｃよりも面内方向内側に突出し、その内面２ａ，３ａの室内側寄りは階段形状で室内側面２ｄ，３ｄよりも室外側寄り位置に気密材当接面２ｅ，３ｅを有する。この気密材当接面２ｅ，３ｅは室内側に向いている。
前記上枠２、下枠３の内面２ａ，３ａにおける気密材当接面２ｅ，３ｅよりも室外側寄りにアタッチメント取付部１０を有する。
例えば、内面２ａ，３ａに鉤片１１とＴ字片１２を長手方向全長に亘って一体的に設けて凹条溝１３を形成してアタッチメント取付部１０としてある。
つまり、前記上枠２の内面２ａと下枠３の内面３ａは、ほぼ同一形状、好ましくは同一形状である。
【００１５】
図４に示すように、前記一方の縦枠４の内面４ａと縦中骨６の一方側の内面６ａは前述の上枠２、下枠３の内面２ａ，３ａとほぼ同一形状、好ましくは同一形状である。
具体的には、その内面４ａ，６ａは室外側部４ｂ，６ｂが室内側部４ｃ，６ｃよりも面内方向内側に突出し、その室内側寄りは階段形状で室内側面４ｄ，６ｄよりも室外側寄り位置に気密材当接面４ｅ，６ｅを有する。この気密材当接面４ｅ，６ｅは室内側に向いている。
前記一方の縦枠４の内面４ａ、縦中骨６の一方の内面６ａにおける気密材当接面４ｅ，６ｅよりも室外側寄りにアタッチメント取付部２０を有する。
例えば、内面４ａ，６ａに鉤片２１とＴ字片２２を長手方向全長に亘って一体的に設けて凹条溝２３を形成してアタッチメント取付部２０としてある。
つまり、第１枠部１ａの内面は、室外側部が室内側部よりも面内方向内側に突出し、かつ室内側面よりも室外側寄りに室内側に向かった気密材当接面を有するほぼ同一形状、好ましくは同一形状である。
【００１６】
前記障子７は図１に示したように、上框３０と下框３１と左右の縦框３２を備え、その内部にガラス３３が装着してある。具体的には図２、図４に示すように、その上框３０、下框３１、縦框３２に押縁３４を取付けてガラス３３を装着してある。
前記上框３０、下框３１、左右の縦框３２の外面３０ａ，３１ａ，３２ａは、室外側部３０ｂ，３１ｂ，３２ｂよりも室内側部３０ｃ，３１ｃ，３２ｃが面内方向外側に突出した形状で、その室内側部３０ｃ，３１ｃ，３２ｃに気密材３５が設けてある。この気密材３５は室外側に向いている。
障子７を閉じることで各気密材３５が各気密材当接部２ｅ，３ｅ，４ｅ，６ｅに圧接して窓枠１（第１枠部１ａ）と障子７の室内側部を気密する。
また、上枠２の室内側面２ｄ、下枠３の室内側面３ｄ、一方の縦枠４の室内側面４ｄ、縦中骨６の室内側面６ｄと各框の室内側面３０ｄ，３１ｄ，３２ｄが面一となる。
【００１７】
前記上框３０、下框３１、縦框３２の内面３０ｅ，３１ｅ，３２ｅは、室外側部３０ｆ，３１ｆ，３２ｆが室内側部３０ｇ，３１ｇ，３２ｇよりも面内方向内側に突出した形状で、その室内側寄りに押縁取付部、例えば内向きの凹条溝３６を有する。
この凹条溝３６に前述の押縁３４が係合して取付けてある。
前記押縁３４と室外側部３０ｆ，３１ｆ，３２ｆとの間にガラス３３が装着してある。
前記押縁３４の室内側面３４ａは前記各框の室内側面３０ｄ，３１ｄ，３２ｄと面一である。
すなわち、障子７を閉じると窓枠１の室内側面と障子７の室内側面が面一である。
【００１８】
図４に示すように、前記他方の縦枠５の内面５ａと縦中骨６の他方の内面６ｆは、室外側部５ｂ，６ｇが室内側部５ｃ，６ｈよりも面内方向内側に突出した形状で、その室内側寄りに押縁取付部、例えば内向きの凹条溝３７を有する。
この凹条溝３７に嵌め殺し用押縁９を取付け、この押縁の室内側面９ａは他方の縦枠５、縦中骨６の室内側面５ｄ，６ｄと面一である。つまり、内面５ａ，６ｆは室内側面５ｄ，６ｄまで連続した平坦面で、凹条溝３７は室内側面５ｄ，６ｄまでほぼ連続し、前記各框の凹条溝３６と室内外側方向に同一位置で、かつ同一形状である。
【００１９】
図３に示すように、上枠２、下枠３の凹条溝１０は室内側面２ｄ，３ｄよりも室外側寄りに位置し、前記他方の縦枠５、縦中骨６の凹条溝３７と室内外側方向の位置がずれているので、この凹条溝１０に前述の嵌め殺し用押縁９を取付けると、その室内側面９ａが上枠２、下枠３の室内側面２ｄ，３ｄよりも室外側に位置して段差を有する内観となる。
そこで、図３に示すように上枠２、下枠３の凹条溝１０，１０にアタッチメント４０をそれぞれ取付け、このアタッチメント４０の押縁取付部、例えば内向きの凹条溝４１に前述の嵌め殺し用押縁９を取付け、その室内側面９ａを上枠２、下枠３の室内側面２ｄ、３ｄと面一とする。つまり、アタッチメント４０の凹条溝４１は前述の凹条溝３７と同一形状で、室内外側方向に同一位置である。
これによって、第２枠部１ｂの室内側面と嵌め殺し用押縁９の室内側面９ａが面一となる。
【００２０】
前記アタッチメント４０を具体的に説明すると、アタッチメント４０は室外側寄りに取付部４２を有し、室内側寄りに凹条溝４１を有し、その取付部４２が上枠２、下枠３の凹条溝１０に取付けられてアタッチメント４０の室内側面４０ａが上枠２、下枠３の室内側面２ｄ，３ｄと面一となる。
そして、凹条溝４１は室内側面４０ａまで連続して前述の他方の縦枠５の内面５ａ、縦中骨６の他方の内面６ｆの凹条溝３７と同一形状で、室内外側方向に同一位置である。
【００２１】
前述の実施の形態は、開き窓Ａと嵌め殺し窓Ｂが左右に連続した連窓であるが、開き窓Ａと嵌め殺し窓Ｂが上下に連続した段窓とすることもできる。
この場合には、前述の上枠２、下枠３が一方の縦枠、他方の縦枠となると共に、前述の一方の縦枠４、他方の縦枠５が上枠、下枠となり、前述の縦中骨６が無目となる。
つまり、窓枠１の相対向した枠材（連窓の場合は上枠、下枠、段窓の場合には一方の縦枠と他方の縦枠）に中間枠材（連窓の場合は、縦中骨、段窓の場合には無目）を連結して第１枠部１ａと第２枠部１ｂを形成し、その枠部１ａに障子７を取付け、第２枠部１ｂにガラス８を取付けた窓において、前記相対向した枠材の第２枠部１ｂを形成する部分における室内側寄りにアタッチメント４０を取付けるようにすれば良い。
なお、連窓の場合に他方の縦枠５と縦中骨６、段窓の場合には無目と下枠（又は上枠）が、中間枠材を連結しない相対向した他の枠材である。
【００２２】
この実施の形態では、窓枠１の上枠２、下枠３、縦枠４，５、縦中骨６、上框３０、下框２１、縦框３２は、アルミ押出形材の室内側部材とアルミ押出形材の室外側部材を断熱材で連結した断熱形材であるが、これに限ることはない。
【図面の簡単な説明】
【００２３】
【図１】連窓の外観図である。
【図２】内開き窓部分の縦断面図である。
【図３】嵌め殺し窓部分の縦断面図である。
【図４】横断面図である。
【符号の説明】
【００２４】
１…窓枠、１ａ…第１枠部、１ｂ…第２枠部、２…上枠（相対向した枠材）、３…下枠（相対向した枠材）、４…一方の縦枠（相対向した他方の枠材）、５…他方の縦枠（相対向した他方の枠材）、６…縦中骨（中間枠材）、７…障子、８…ガラス、９…嵌め殺し用押縁、１０…アタッチメント取付部、２０…アタッチメント取付部、３０…上框、３１…下框、３２…縦框、３４…押縁、４０…アタッチメント、４１…凹条溝（アタッチメント取付部）、４２…取付部。
【図１】
2006063524.tif 000003
【図２】
2006063524.tif 000004
【図３】
2006063524.tif 000005
【図４】
2006063524.tif 000006